(57)【要約】【課題】紙葉類以外の異物が誤って挿入口へ挿入されることを抑える。【解決手段】紙葉類取扱装置は、紙葉類が挿入される弧状の挿入口を有し、紙葉類の挿入方向に交差する紙葉類の辺に沿ってこの紙葉類が湾曲された状態で挿入口から挿入される取扱部と、挿入口から挿入された紙葉類を搬送する搬送部と、を備える。【選択図】図２
2019164690.tif 000002
【特許請求の範囲】
【請求項１】
紙葉類が挿入される弧状の挿入口を有し、紙葉類の挿入方向に交差する紙葉類の辺に沿って当該紙葉類が湾曲された状態で前記挿入口から挿入される取扱部と、
前記挿入口から挿入された紙葉類を搬送する搬送部と、
を備える、紙葉類取扱装置。
【請求項２】
前記挿入口には、紙葉類の挿入方向に交差する方向に沿って弧状に湾曲されたガイド面を有するガイド部材を更に備える、
請求項１に記載の紙葉類取扱装置。
【請求項３】
前記ガイド部材の前記ガイド面は、紙葉類の挿入方向において前記挿入口から離れるに従って下がるように傾斜している、
請求項２に記載の紙葉類取扱装置。
【請求項４】
前記ガイド部材の前記ガイド面には、情報を表示する表示部が設けられている、
請求項２または３に記載の紙葉類取扱装置。
【請求項５】
前記挿入口を開閉するシャッタ部材を更に備える、
請求項１ないし４のいずれか１項に記載の紙葉類取扱装置。
【請求項６】
前記搬送部は、前記挿入口から挿入された紙葉類を湾曲した状態で保持する保持部材を有する、
請求項１ないし５のいずれか１項に記載の紙葉類取扱装置。
【請求項７】
前記搬送部は、前記保持部材を移動して紙葉類を搬送する第１の搬送機構と、前記第１の搬送機構によって搬送された紙葉類を搬送する第２の搬送機構と、を有する、
請求項６に記載の紙葉類取扱装置。
【請求項８】
前記取扱部は、前記挿入口と連通して設けられて前記挿入口に挿入された紙葉類以外の異物を返却する返却口を有する、
請求項６または７に記載の紙葉類取扱装置。
【請求項９】
前記保持部材は、前記返却口と連通する開口を有する、
請求項８に記載の紙葉類取扱装置。
【請求項１０】
前記取扱部は、前記挿入口が設けられた前面部材を有し、
前記前面部材は、前記挿入口を、当該挿入口へ挿入される紙葉類の厚み方向に対して分割可能に組み合わされた一組の上側部材と下側部材を有する、
請求項１ないし９のいずれか１項に記載の紙葉類取扱装置。
【請求項１１】
弧状の挿入口から、紙葉類の挿入方向に交差する紙葉類の辺に沿って湾曲された状態で挿入された紙葉類を、湾曲した状態で保持部材によって保持することと、
紙葉類を保持した前記保持部材を搬送することと、
を含む、紙葉類取扱方法。
【発明の詳細な説明】
【技術分野】
【０００１】
本発明は、紙葉類取扱装置及び紙葉類取扱方法に関する。
【背景技術】
【０００２】
例えば、紙幣を取り扱う自動販売機や自動精算機等の紙幣取扱装置が知られている。この種の紙幣取扱装置は、入金する紙幣が挿入されるスリット状の挿入口を有しており、利用者によって、挿入口から紙幣が１枚ずつ挿入される。紙幣取扱装置は、挿入口へ挿入された紙幣を搬送機構によって内部へ搬送する。
【先行技術文献】
【特許文献】
【０００３】
【特許文献１】特開２０１３−８０３１８号公報
【発明の概要】
【発明が解決しようとする課題】
【０００４】
上述した紙幣取扱装置では、利用者によって紙幣以外のカードや硬貨等の異物が挿入口から誤って挿入される場合がある。この場合、紙幣取扱装置の挿入口や搬送機構が異物によって詰まったり、利用者のカードが損傷したりするおそれがあった。
【０００５】
開示の技術は、上記に鑑みてなされたものであって、紙葉類以外の異物が挿入口へ誤って挿入されることを抑えることができる紙葉類取扱装置及び紙葉類取扱方法を提供することを目的とする。
【課題を解決するための手段】
【０００６】
本願の開示する紙葉類取扱装置の一態様は、紙葉類が挿入される弧状の挿入口を有し、紙葉類の挿入方向に交差する紙葉類の辺に沿って当該紙葉類が湾曲された状態で前記挿入口から挿入される取扱部と、前記挿入口から挿入された紙葉類を搬送する搬送部と、を備える。
【発明の効果】
【０００７】
本願の開示する紙葉類取扱装置の一態様によれば、紙葉類以外の異物が挿入口へ誤って挿入されることを抑えることができる。
【図面の簡単な説明】
【０００８】
【図１】図１は、実施例の紙幣取扱装置を示す模式図である。
【図２】図２は、実施例の紙幣取扱装置の入出金部を示す斜視図である。
【図３】図３は、実施例の紙幣取扱装置の入出金部を示す正面図である。
【図４】図４は、実施例の紙幣取扱装置の入出金部を示す側面図である。
【図５】図５は、実施例の紙幣取扱装置の入出金部が有する挿入口を示す正面図である。
【図６】図６は、実施例の紙幣取扱装置の入出金部が有するガイド部材を模式的に示す斜視図である。
【図７】図７は、実施例の紙幣取扱装置における取扱動作を説明するための斜視図である。
【図８】図８は、実施例の紙幣取扱装置における取扱動作を説明するためのフローチャートである。
【発明を実施するための形態】
【０００９】
以下に、本願の開示する紙葉類取扱装置及び紙葉類取扱方法の実施例を図面に基づいて詳細に説明する。なお、以下の実施例によって、本願の開示する紙葉類取扱装置及び紙葉類取扱方法が限定されるものではない。
【実施例】
【００１０】
（紙幣取扱装置の構成）
図１は、実施例の紙幣取扱装置を示す模式図である。図１に示すように、実施例の紙幣取扱装置１は、紙幣３を入出金する入出金部５と、入出金部５から入金された紙幣３を鑑別する鑑別部６と、鑑別部６を通過した紙幣３を収容する収容部（図示せず）と、を備える。また、紙幣取扱装置１は、入出金部５から鑑別部６へ紙幣３を搬送する搬送部７と、入出金部５、鑑別部６及び搬送部７をそれぞれ制御する制御部８と、を備える。
【００１１】
実施例における入出金部５は、本願に係る取扱部に対応している。なお、実施例では、取扱部としての入出金部５を備えるが、入金部と出金部とを独立して備える場合、入金部として構成されてもよい。実施例の紙幣取扱装置１は、例えば、自動販売機や自動精算機等に適用される。
【００１２】
説明の便宜上、図１において紙幣取扱装置１を入出金部５側から見て、紙幣取扱装置１の幅方向をＸ方向、紙幣取扱装置１の前後方向をＹ方向、紙幣取扱装置１の上下方向をＺ方向と称する。図１以降の図面においても、図１と同様にＸ、Ｙ、Ｚ方向をそれぞれ示す。また、本実施例では、紙葉類の一例として紙幣３を用いるが、紙幣３に限定するものではなく、他の紙葉類を取り扱うために適用されてもよい。紙葉類には、例えば、手形、小切手、商品券、各種証券、株券等の有価証券も含まれる。
【００１３】
（入出金部の構成）
図２は、実施例の紙幣取扱装置１の入出金部５を示す斜視図である。図３は、実施例の紙幣取扱装置１の入出金部５を示す正面図である。図４は、実施例の紙幣取扱装置１の入出金部５を示す側面図である。図５は、実施例の紙幣取扱装置１の入出金部５が有する挿入口を示す正面図である。図６は、実施例の紙幣取扱装置１の入出金部５が有するガイド部材を模式的に示す斜視図である。
【００１４】
図２、図３及び図４に示すように、入出金部５は、各種の操作を行うための操作パネル１１と、紙幣３が挿入される弧状の挿入口１３が設けられた前面部材としての前面パネル１２と、を有する。入出金部５には、紙幣３の挿入方向（Ｙ方向）に直交する紙幣３の辺に沿って紙幣３が湾曲された状態で挿入口１３から挿入される。紙幣取扱装置１が備える搬送部７は、挿入口１３から挿入された紙幣３を搬送する。
【００１５】
前面パネル１２は、挿入口１３へ挿入される紙幣３の厚み方向（Ｚ方向）に対して挿入口１３を分割可能に組み合わされた一組の上側部材１２ａと下側部材１２ｂを有する。前面パネル１２には、上側部材１２ａと下側部材１２ｂとの間に挿入口１３が形成されており、所定の挿入口１３が形成されるように、上側部材１２ａと下側部材１２ｂとが突き合わされる分割面１２ｃを有する。
【００１６】
挿入口１３は、図３、図５及び図６に示すように、紙幣３の挿入方向（Ｙ方向）に直交する平面上で、挿入方向（Ｙ方向）に直交する方向に沿って所定の曲率で湾曲されたスリット状に形成されている。挿入口１３は、高さ方向（Ｚ方向）の隙間が、例えば、２［ｍｍ］程度に形成されており、１枚の紙幣３がスムーズに通過可能とされている。図５に示すように、例えば、挿入口１３の両端の幅Ｗは、８７［ｍｍ］程度に形成されており、挿入口１３の、幅Ｗ方向（Ｘ方向）における中央の下端と、挿入口１３の両端との間の高さＨが、１０［ｍｍ］程度に形成されている。
【００１７】
ここで、紙幣３以外の異物の一例として、例えば、キャッシュカードやクレジットカード等の国際規格カード（ＩＳＯ／ＩＥＣ  ７８１０  ＩＤ−１）である外形寸法が８５．６０［ｍｍ］（長さ）×５３．９８［ｍｍ］（幅）、厚さ０．７６［ｍｍ］のカード４が、挿入口１３へ挿入される状態を図５に示す。カード４が挿入口１３へ誤って挿入された場合、挿入口１３が所定の曲率で湾曲されているので、図５に示すように、幅方向（Ｘ）におけるカード４の両端部が、挿入口１３の縁部分に接触することで、挿入口１３へ挿入不能となる。また、挿入口１３へ硬貨が挿入された場合にも、硬貨が挿入口１３の縁部分に接触することで、挿入口１３へ挿入不能となる。
【００１８】
このように、弧状の挿入口１３によれば、挿入口１３の形状に湾曲させることが可能な紙幣３以外の異物の挿入が抑えられる。なお、挿入口１３の幅方向（Ｘ方向）の中央に、カード４に比べて幅が狭い硬貨が挿入された場合には、挿入口１３を通過する可能性がある。このため、挿入口１３を通過した硬貨が入出金部５から排出されるように、挿入口１３の幅方向の中央は、後述する返却口１９に連通されている。
【００１９】
上側部材１２ａは、昇降機構（図示せず）を介して、上下方向（Ｚ方向）に移動可能に設けられており、下側部材１２ｂに対して上方へ移動することで、挿入口１３が分割されて開かれる。このため、挿入口１３の内部や挿入口１３近傍に紙幣３や、硬貨等の異物が詰まった場合であっても、紙幣３や異物を容易に取り除くことが可能に構成されている。
【００２０】
また、前面パネル１２には、挿入口１３を開閉するシャッタ部材１５が、挿入口１３の内側に設けられている。シャッタ部材１５は、図示しない開閉機構によって開閉動作される。開閉機構は、上述の制御部８によって制御されており、操作パネル１１の操作に応じて開閉するように制御される。例えば、制御部８は、操作パネル１１で取引開始を操作したときに挿入口１３を開くように制御し、取引終了時にシャッタ部材１５が挿入口１３を自動的に閉じるように制御する。
【００２１】
挿入口１３にシャッタ部材１５が設けられることで、挿入口１３の防水性、防塵性が高められるので、紙幣取扱装置１を屋外で使用した場合の耐久性が高められる。また、シャッタ部材１５は、挿入口１３の内側、すなわち入出金部５の内部に配置されたことにより、利用者がシャッタ部材１５をこじ開ける操作を避けることができる。
【００２２】
また、前面パネル１２には、図２、図４及び図６に示すように、挿入口１３へ紙幣３を案内するガイド部材１７が設けられている。ガイド部材１７は、挿入口１３へ向かって挿入される紙幣３の移動を案内するガイド面１７ａを有する。ガイド面１７ａは、紙幣３の挿入方向（Ｙ方向）に直交する方向に沿って弧状に湾曲されており、挿入口１３の湾曲形状に対応している。このため、ガイド面１７ａは、ガイド面１７ａ上に紙幣３を載せて押し付け、紙幣３ガイド面１７ａの湾曲形状に沿って変形させることで、弧状の挿入口１３に対応する形状に紙幣３を容易に湾曲させることを可能にする機能も奏する。これにより、挿入口１３に対する紙幣３の挿入操作の安定性が高められ、挿入口１３での紙幣３の詰まりが抑えられる。
【００２３】
ガイド部材１７のガイド面１７ａは、図４に示すように、紙幣３の挿入方向において挿入口１３から離れるに従って下がるように傾斜している。すなわち、ガイド面１７ａは、紙幣３の挿入方向における手前側が下がっており、水平面（Ｘ−Ｙ平面）に対して所定の傾斜角θを有する。傾斜角θは、例えば、３度程度に設定されている。これにより、ガイド面１７ａ上に付着した塵埃や水滴等が、ガイド面１７ａに沿ってガイド面１７ａの下方へスムーズに排出される。このため、ガイド面１７ａに沿って塵埃や水滴が挿入口１３から入ることが抑えられ、入出金部５の耐久性が高められる。
【００２４】
ガイド部材１７のガイド面１７ａには、情報を表示する表示部１８が設けられている。表示部１８は、例えば、紙幣３の挿入方向を示す矢印の表示１８ａと、紙幣３の挿入方向とは逆方向を示す矢印の表示１８ｂと、を有しており、入出金部５が入金動作中と出金動作中のいずれであるかを容易に判別することが可能になる。また、表示部１８の表示１８ａにより、入出金部５における紙幣３の挿入方向を利用者へ視覚的に促して案内することができる。なお、表示部１８は、例えば、ＬＥＤ（発光ダイオード）を有しており、紙幣３を湾曲させることを示す文字等の表示が設けられてもよい。
【００２５】
また、入出金部５には、挿入口１３に挿入された紙幣３以外の異物を返却する返却口１９を有する。返却口１９は、前面パネル１２の下方に配置されており、挿入口１３と連通して設けられている。
【００２６】
（搬送部の構成）
図１及び図２に示すように、搬送部７は、挿入口１３に挿入された紙幣３を保持する一組の上側保持部材２０Ａと下側保持部材２０Ｂ有する。上側保持部材２０Ａには、紙幣３を湾曲した状態で保持する凸状の保持面２４Ａが形成されている。下側保持部材２０Ｂには、紙幣３を湾曲した状態で保持する凹状の保持面２４Ｂが形成されている。各保持面２４Ａ、２４Ｂは、弧状の挿入口１３の湾曲形状に対応する曲率で湾曲されている。
【００２７】
下側保持部材２０Ｂの保持面２４Ａには、図２に示すように、硬貨等の異物を通過させる開口２５Ｂが、挿入口１３の幅方向の中央に対応する位置に設けられている。開口２５Ｂは、下側保持部材２０Ｂを上下方向（Ｚ方向）に貫通して形成されており、返却口１９と連通している。また、上側保持部材２０Ａの保持面２４Ａにも、下側保持部材２０Ｂの開口２５Ｂと対向する位置に開口２５Ａが設けられており、硬貨等の異物を保持することが避けられている。
【００２８】
また、搬送部７は、一組の上側保持部材２０Ａ及び下側保持部材２０Ｂを移動させて紙幣３を搬送する第１の搬送機構２１と、第１の搬送機構２１によって搬送された紙幣３を鑑別部６へ搬送する第２の搬送機構２２と、を有する。第１の搬送機構２１及び第２の搬送機構２２は、上述の制御部８によって制御される。また、搬送部７は、挿入口１３から挿入された紙幣３の前端を検知する第１の位置センサ２７と、上側保持部材２０Ａと下側保持部材２０Ｂとによって搬送された紙幣３の前端を検知する第２の位置センサ２８と、を有する。
【００２９】
第１の搬送機構２１は、上側保持部材２０Ａ及び下側保持部材２０Ｂを上下方向（Ｚ方向）に移動する昇降機構（図示せず）と、上側保持部材２０Ａと下側保持部材２０Ｂを挿入口１３と第２の搬送機構２２との間で往復移動させる移動機構（図示せず）と、を有する。第１の搬送機構２１は、上側保持部材２０Ａと下側保持部材２０Ｂとによって紙幣３を湾曲した状態で保持しながら搬送する。
【００３０】
第２の搬送機構２２は、紙幣３を鑑別部６へ送る一対の搬送ベルト２２ａを駆動する駆動機構（図示せず）と、一対の搬送ベルト２２ａを上下方向に移動する昇降機構（図示せず）と、を有する。各搬送ベルト２２ａは、図１及び図２に示すように、搬送ローラ２２ｂ間に掛け渡されている。第２の搬送機構２２は、一対の搬送ベルト２２ａの平坦な搬送面の間に紙幣３を挟んで紙幣３を平坦な状態で搬送する。
【００３１】
紙幣３の挿入方向において、第１の搬送機構２１と第２の搬送機構２２との間の距離は、紙幣３の挿入方向の長さ（例えば、紙幣３の長辺の長さ）よりも大きく確保されている。したがって、第１の搬送機構２１が、上側保持部材２０Ａ及び下側保持部材２０Ｂによって紙幣３を第２の搬送機構２２まで搬送することにより、挿入口１３から挿入された紙幣３の後端は、挿入口１３を通過し、入出金部５の内部に引き込まれる。
【００３２】
このように、搬送部７は、第２の搬送機構２２と挿入口１３との間に、紙幣３を湾曲した状態で搬送する第１の搬送機構２１を有することで、挿入口１３から紙幣３が挿入されている挿入途中で、湾曲されている状態の紙幣３の前端を平坦状に挟むことが避けられるので、湾曲された状態の紙幣３の挿入操作を妨げることが抑えられる。
【００３３】
また、搬送部７は、第１の搬送機構２１を有することで、湾曲された状態で挿入口１３から挿入される紙幣３や、誤って挿入された硬貨等の異物によって第２の搬送機構２２が損傷することが抑えられる。特に、例えば、第２の搬送機構２２として、繰り出しローラと、繰り出しローラに従動する従動ローラと、を有する構成等を用いる場合に、挿入口１３に湾曲されて挿入された紙幣３や異物が繰り出しローラ等に衝突することに伴って第２の搬送機構２２を損傷することを抑えることができる。
【００３４】
搬送部７が有する第１の位置センサ２７は、挿入口１３近傍に配置されている。第２の位置センサ２８は、第２の搬送機構２２の近傍に配置されている。第１の位置センサ２７及び第２の位置センサ２８は、光センサが用いられており、紙幣３が通過する経路へ向けて検知光を発する発光部と、発光部が発した検知光を受光する受光部を有する。第１の位置センサ２７及び第２の位置センサ２８は、紙幣３によって検知光が遮られることで、紙幣３の進入を検知する。第２の位置センサ２８は、上側保持部材２０Ａ及び下側保持部材２０Ｂによって検知光が遮られることで、紙幣３の進入を検知してもよい。
【００３５】
（紙幣の取扱動作）
以上のように構成された紙幣取扱装置１における取扱動作について説明する。図７は、実施例の紙幣取扱装置１における取扱動作を説明するための斜視図である。
【００３６】
図１、図２及び図７に示すように、紙幣取扱装置１の入出金部５には、矩形状の紙幣３が長辺方向に沿って、挿入口１３から１枚ずつ挿入される。なお、挿入口１３に対する挿入方向を紙幣３の長辺方向に沿う向きに限定するものではなく、紙幣３が短辺方向に沿って挿入されてもよい。
【００３７】
利用者が、操作パネル１１で取引開始を操作することにより（例えば、操作パネル１１に表示された「入金ボタン」に触れる操作により）、入出金部５のシャッタ部材１５が上昇し、挿入口１３が開かれる。利用者は、ガイド部材１７のガイド面１７ａ上に紙幣３を押し付けることで、紙幣３を適正に湾曲させ、湾曲させた紙幣３をガイド面１７ａに沿って移動させることにより、湾曲された紙幣３を挿入口１３から挿入する。このとき、利用者は、ガイド部材１７のガイド面１７ａの表示部１８や、挿入口１３の形状を目視することにより、挿入口１３へ紙幣３を湾曲させて挿入することが視覚的に促される。これと同時に、利用者は、ガイド面１７ａに沿って湾曲させることが難しいカード４等を挿入することに注意が促されるので、紙幣３以外のカード４や硬貨等の異物の誤挿入が抑制される。
【００３８】
湾曲された紙幣３が挿入口１３から挿入されるとき、図２に示すように、上側保持部材２０Ａ及び下側保持部材２０Ｂは、挿入口１３から上下方向（Ｚ方向）に離れた位置に待機している。なお、下側保持部材２０Ｂは、保持面２４Ｂが挿入口１３と連続する位置に待機するように制御されてもよい。
【００３９】
挿入口１３から入出金部５の内部へ進入する紙幣３の前端を第１の位置センサ２７が検知したとき、制御部８は、上側保持部材２０Ａと下側保持部材２０Ｂとで紙幣３を挟み、続いて、図７に示すように、紙幣３を挟んだ上側保持部材２０Ａ及び下側保持部材２０Ｂを第２の搬送機構２２へ向けて移動させる。これにより、湾曲された状態で挿入口１３から挿入された紙幣３は、湾曲された状態が保たれたままで、挿入口１３から入出金部５の内部へ引き込まれる。
【００４０】
上側保持部材２０Ａ及び下側保持部材２０Ｂによって搬送された紙幣３の進入を第２の位置センサ２８が検知したとき（または、上側保持部材２０Ａ及び下側保持部材２０Ｂの移動を検知したとき）、制御部８は、一組の搬送ベルト２２ａの間に紙幣３を挟み、続いて、各搬送ベルト２２ａを駆動することで、紙幣３を鑑別部６へ送る。
【００４１】
出金時の取扱動作では、搬送部７は、上述した入金時の取扱動作と逆に動作する。第２の搬送機構２２によって搬送された紙幣３が、第１の搬送機構２１の上側保持部材２０Ａと下側保持部材２０Ｂとで挟まれて搬送されることで、紙幣３が湾曲された状態で挿入口１３から排出される。このように出金する場合にも、上側保持部材２０Ａ及び下側保持部材２０Ｂの各保持面２４Ａ、２４Ｂの形状が、挿入口１３の湾曲形状と対応しているので、上側保持部材２０Ａ及び下側保持部材２０Ｂに保持されることで湾曲された紙幣３が、弧状の挿入口１３から入出金部５の外部へスムーズに排出される。
【００４２】
図８は、実施例の紙幣取扱装置１における取扱動作を説明するためのフローチャートである。図８に示すように、上述した紙幣３の取扱動作では、利用者によって、湾曲された状態の紙幣３が挿入口１３に挿入され（ステップＳ１）、挿入口１３から挿入された紙幣３の前端側を、上側保持部材２０Ａの保持面２４Ａと下側保持部材２０Ｂの保持面２４Ｂとで挟むことにより、搬送部７の第１の搬送機構２１が、湾曲された状態の紙幣３を保持する（ステップＳ２）。
【００４３】
続いて、第１の搬送機構２１は、上側保持部材２０Ａ及び下側保持部材２０Ｂを第２の搬送機構２２に向けて移動させることにより、湾曲された状態で紙幣３を搬送する（ステップＳ３）。第１の搬送機構２１は、上側保持部材２０Ａと下側保持部材２０Ｂとで保持された紙幣３を、第２の搬送機構２２へ受け渡し、第２の搬送機構２２の搬送ベルト２２ａの間に紙幣３が保持されることにより、湾曲された紙幣３が平坦な状態に延ばされ、第２の搬送機構２２が、平坦な状態で紙幣３を搬送する（ステップＳ４）。
【００４４】
（紙幣取扱方法）
上述したように、紙幣取扱装置１に用いた実施例の紙幣取扱方法は、弧状の挿入口１３から、紙幣３の挿入方向（Ｙ方向）に直交する紙幣３の長辺に沿って湾曲された状態で挿入された紙幣３を、湾曲した状態で上側保持部材２０Ａ及び下側保持部材２０Ｂによって保持することと、紙幣３を保持した上側保持部材２０Ａ及び下側保持部材２０Ｂを搬送することと、を含む。
【００４５】
上述のように実施例の紙幣取扱装置１は、紙幣３が挿入される弧状の挿入口１３を有し、紙幣３の挿入方向（Ｙ方向）に交差する紙幣３の長辺に沿ってこの紙幣３が湾曲された状態で挿入口１３から挿入される入出金部５と、挿入口１３から挿入された紙幣３を搬送する搬送部７と、を備える。これにより、湾曲させた紙幣３以外の異物の挿入が規制されるので、紙幣３以外の異物、特にカード４が誤って挿入口１３へ挿入されることを抑えることができる。また、挿入口１３内に誤って挿入されたカード４が損傷することを抑えることができる。その結果、紙幣取扱装置１によれば、紙幣３の入金時に紙幣３や異物の詰まり、いわゆるジャムの発生の頻度を抑えることができる。
【００４６】
また、実施例の紙幣取扱装置１の入出金部５の挿入口１３には、紙幣３の挿入方向（Ｙ方向）に直交する方向に沿って弧状に湾曲されたガイド面１７ａを有するガイド部材１７を備える。これにより、紙幣３をガイド面１７ａに押し付けて挿入することで、ガイド面１７ａによって紙幣３を挿入口１３の湾曲形状に容易に変形させることができるので、紙幣３を挿入口１３にスムーズに挿入することができる。また、利用者がガイド面１７ａの湾曲形状を目視することで、挿入する紙幣３を湾曲させることを利用者へ視覚的に促すことができると共に、ガイド面１７ａに沿って湾曲させることが難しいカード４や硬貨等の異物の誤挿入を抑制することができる。
【００４７】
また、実施例の紙幣取扱装置１の入出金部５が有するガイド部材１７のガイド面１７ａは、紙幣３の挿入方向（Ｙ方向）において挿入口１３から離れるに従って下がるように傾斜している。これにより、塵埃や水滴がガイド面１７ａに沿って挿入口１３から入ることが抑えられるので、入出金部５の耐久性を高めることができる。
【００４８】
また、実施例の紙幣取扱装置１の入出金部５が有するガイド部材１７のガイド面１７ａには、情報を表示する表示部１８が設けられている。これにより、例えば、紙幣３の挿入方向や、紙幣３を湾曲させること等を表示部１８によって利用者へ、視覚的に促して案内することが可能になる。
【００４９】
また、実施例の紙幣取扱装置１の入出金部５は、挿入口１３を開閉するシャッタ部材１５を備える。シャッタ部材１５によって挿入口１３の防水性、防塵性を高めることができるので、紙幣取扱装置１の屋外使用時の耐久性を高めることができる。
【００５０】
また、実施例の紙幣取扱装置１の搬送部７は、挿入口１３から挿入された紙幣３を湾曲した状態で保持する上側保持部材２０Ａ及び下側保持部材２０Ｂを有する。これにより、湾曲された状態で挿入口１３から挿入された紙幣３を、湾曲させた状態を保ちながら挿入口１３から入出金部５の内部へ引き込むことが可能になり、湾曲された紙幣３が挿入口１３をスムーズに通過することができる。
【００５１】
また、実施例の紙幣取扱装置１の搬送部７は、上側保持部材２０Ａ及び下側保持部材２０Ｂを移動して紙幣３を搬送する第１の搬送機構２１と、第１の搬送機構２１によって搬送された紙幣３を搬送する第２の搬送機構２２と、を有する。このように、挿入口１３から挿入された紙幣３を、湾曲された状態のままで第１の搬送機構２１によって搬送することで、湾曲された紙幣３を挿入口１３から入出金部５の内部へスムーズに引き込むことができる。また、第１の搬送機構２１から第２の搬送機構２２へ紙幣３が受け渡されることで、湾曲された状態で挿入口１３から挿入された紙幣３によって、第２の搬送機構２２が損傷することを抑えることができる。特に、第２の搬送機構２２によって紙幣３を平坦な状態で搬送する場合に、湾曲された状態で挿入口１３から挿入された紙幣３の前端が第２の搬送機構２２に衝突することで第２の搬送機構２２の損傷を招くことが抑えられる。
【００５２】
また、実施例の紙幣取扱装置１の入出金部５は、挿入口１３と連通して設けられて挿入口１３に挿入された紙幣３以外の硬貨等の異物を返却する返却口１９を有する。これにより、挿入口１３へ誤って挿入された異物を挿入口１３から速やかに排出し、挿入口１３に異物が詰まることを抑えることができる。
【００５３】
また、実施例の紙幣取扱装置１の搬送部７が有する下側保持部材２０Ｂは、返却口１９と連通する開口２５Ｂを有する。これにより、挿入口１３へ誤って挿入された硬貨等の異物を、開口２５Ｂを通して返却口１９へスムーズに返却することが可能になり、上側保持部材２０Ａ及び下側保持部材２０Ｂが異物を保持することが抑えられ、挿入口１３に異物が詰まることを抑えることができる。
【００５４】
また、実施例の紙幣取扱装置１の入出金部５が有する前面パネル１２は、挿入口１３を、挿入口１３へ挿入される紙幣３の厚み方向に対して分割可能に組み合わされた一組の上側部材１２ａと下側部材１２ｂを有する。これにより、挿入口１３を分割して開くことが可能になり、挿入口１３に紙幣３や異物が詰まった場合であっても、紙幣３や異物を容易に取り除くことができるので、入出金部５の保守性を高めることができる。
【符号の説明】
【００５５】
１  紙幣取扱装置（紙葉類取扱装置）
３  紙幣（紙葉類）
５  入出金部（取扱部）
７  搬送部
１３  挿入口
１５  シャッタ部材
１７  ガイド部材
１７ａ  ガイド面
１８  表示部
１９  返却口
２０Ａ  上側保持部材
２０Ｂ  下側保持部材
２１  第１の搬送機構
２２  第２の搬送機構
２５Ｂ  開口
【図１】
2019164690.tif 000003
【図２】
2019164690.tif 000004
【図３】
2019164690.tif 000005
【図４】
2019164690.tif 000006
【図５】
2019164690.tif 000007
【図６】
2019164690.tif 000008
【図７】
2019164690.tif 000009
【図８】
2019164690.tif 000010